(57)【要約】【課題】電荷蓄積部での暗電流の増大を防止して低雑音化を図り、高精度な焦点検出が可能な焦点検出装置を提供する。【解決手段】蓄積開始時点では電荷蓄積部のリセットを解除せずに、電荷蓄積部に対する電荷移送直前のタイミングである蓄積終了時点で電荷蓄積部のリセットを解除することで、電荷蓄積部での時間ｔａの間の暗電流の無用な増大を防止することができるようにした。特に、複数の光電変換素子列のうちで最初の蓄積終了を検出したタイミングで電荷蓄積部のリセットを解除することで、全ての光電変換素子列の電荷蓄積部に対してリセット信号線を１本で共通化できるようにした。【選択図】        図７
2008092350.tif 000002
【特許請求の範囲】
【請求項１】
撮影レンズの異なる瞳領域を通過した光束を受光して受光量に応じた電荷を発生する受光部と、前記受光部で発生した電荷を蓄積する電荷蓄積部と、前記受光部で発生した電荷を前記電荷蓄積部に移送する電荷移送部と、前記電荷蓄積部に存在する電荷をリセットする電荷リセット部と、を有する電荷蓄積型の光電変換素子列と、前記光電変換素子列の蓄積動作を制御する蓄積制御部と、前記光電変換素子列から順次転送される蓄積電荷に応じた出力に基づいて焦点検出を行う焦点検出部と、を備える焦点検出装置であって、
前記電荷リセット部は、前記蓄積制御部によって制御される蓄積開始後・電荷移送前のタイミングで前記電荷蓄積部のリセットを解除し、
前記電荷移送部は、前記電荷リセット部がリセットを解除した後に前記受光部から前記電荷蓄積部に電荷を移送することを特徴とする焦点検出装置。
【請求項２】
前記電荷リセット部がリセットを解除するタイミングは、電荷移送直前の蓄積終了時点であることを特徴とする請求項１に記載の焦点検出装置。
【請求項３】
撮影レンズの異なる瞳領域を通過した光束を受光して受光量に応じた電荷を発生する受光部と、前記受光部で発生した電荷を蓄積する電荷蓄積部と、前記受光部で発生した電荷を前記電荷蓄積部に移送する電荷移送部と、前記電荷蓄積部に存在する電荷をリセットする電荷リセット部と、を有して、撮影画面内に設定された複数の焦点検出領域にそれぞれ対応して設けられた複数の電荷蓄積型の光電変換素子列と、複数の前記光電変換素子列の蓄積動作を制御する蓄積制御部と、複数の前記光電変換素子列から順次転送される蓄積電荷に応じた出力に基づいて焦点検出を行う焦点検出部と、を備える焦点検出装置であって、
前記蓄積制御部は、複数の前記光電変換素子列のうちで最初の蓄積終了に応じた信号を出力し、
前記電荷リセット部は、前記蓄積制御部からの出力に応じて前記電荷蓄積部のリセットを解除し、
前記電荷移送部は、前記電荷リセット部がリセットを解除した後に前記受光部から前記電荷蓄積部に電荷を移送することを特徴とする焦点検出装置。
【請求項４】
前記電荷リセット部は、複数の前記光電変換素子列の全てに共通にリセット信号を出力することを特徴とする請求項３に記載の焦点検出装置。
【請求項５】
前記蓄積制御部は、複数の前記光電変換素子列の蓄積動作を同時に開始させることを特徴とする請求項４に記載の焦点検出装置。
【発明の詳細な説明】
【技術分野】
【０００１】
本発明は、例えばカメラの焦点検出装置、特に撮影画面内における複数の測距点の焦点状態を検出可能な焦点検出装置に関するものである。
【背景技術】
【０００２】
近年、カメラの高性能化、高機能化に伴って、撮影画面内の多くの測距点の焦点状態を検出できるようにした焦点検出装置に関する種々の提案例がある。その一つとして、特許文献１によれば、焦点検出部毎に積分クリアゲート（ＩＧＣ）を有し、蓄積開始と同時に積分クリアゲート（ＩＧＣ）へ電圧を印加することで、電荷蓄積部の電荷リセットを解除するようにしている。
【０００３】
【特許文献１】特開平２−９０７号公報
【発明の開示】
【発明が解決しようとする課題】
【０００４】
しかしながら、特許文献１に示される技術によれば、フォトダイオード（受光部）への蓄積開始時点で電荷蓄積部の電荷リセットを解除しているため、フォトダイオードへの電荷蓄積中も電荷蓄積部の暗電流は無駄に増え続けてしまう。電荷蓄積部の暗電流は、蓄積するフォトダイオードの出力電荷に暗電流ノイズとして重畳されてしまい、焦点検出精度、特に低輝度時の焦点検出精度を劣化させる一因となる。
【０００５】
本発明は、上記に鑑みてなされたものであって、電荷蓄積部での暗電流の増大を防止して低雑音化を図り、高精度な焦点検出を可能とする焦点検出装置を提供することを目的とする。
【課題を解決するための手段】
【０００６】
上述した課題を解決し、目的を達成するために、本発明に係る焦点検出装置は、撮影レンズの異なる瞳領域を通過した光束を受光して受光量に応じた電荷を発生する受光部と、前記受光部で発生した電荷を蓄積する電荷蓄積部と、前記受光部で発生した電荷を前記電荷蓄積部に移送する電荷移送部と、前記電荷蓄積部に存在する電荷をリセットする電荷リセット部と、を有する電荷蓄積型の光電変換素子列と、前記光電変換素子列の蓄積動作を制御する蓄積制御部と、前記光電変換素子列から順次転送される蓄積電荷に応じた出力に基づいて焦点検出を行う焦点検出部と、を備える焦点検出装置であって、前記電荷リセット部は、前記蓄積制御部によって制御される蓄積開始後・電荷移送前のタイミングで前記電荷蓄積部のリセットを解除し、前記電荷移送部は、前記電荷リセット部がリセットを解除した後に前記受光部から前記電荷蓄積部に電荷を移送することを特徴とする。
【０００７】
また、本発明に係る焦点検出装置は、上記発明において、前記電荷リセット部がリセットを解除するタイミングは、電荷移送直前の蓄積終了時点であることを特徴とする。
【０００８】
また、本発明に係る焦点検出装置は、撮影レンズの異なる瞳領域を通過した光束を受光して受光量に応じた電荷を発生する受光部と、前記受光部で発生した電荷を蓄積する電荷蓄積部と、前記受光部で発生した電荷を前記電荷蓄積部に移送する電荷移送部と、前記電荷蓄積部に存在する電荷をリセットする電荷リセット部と、を有して、撮影画面内に設定された複数の焦点検出領域にそれぞれ対応して設けられた複数の電荷蓄積型の光電変換素子列と、複数の前記光電変換素子列の蓄積動作を制御する蓄積制御部と、複数の前記光電変換素子列から順次転送される蓄積電荷に応じた出力に基づいて焦点検出を行う焦点検出部と、を備える焦点検出装置であって、前記蓄積制御部は、複数の前記光電変換素子列のうちで最初の蓄積終了に応じた信号を出力し、前記電荷リセット部は、前記蓄積制御部からの出力に応じて前記電荷蓄積部のリセットを解除し、前記電荷移送部は、前記電荷リセット部がリセットを解除した後に前記受光部から前記電荷蓄積部に電荷を移送することを特徴とする。
【０００９】
また、本発明に係る焦点検出装置は、上記発明において、前記電荷リセット部は、複数の前記光電変換素子列の全てに共通にリセット信号を出力することを特徴とする。
【００１０】
また、本発明に係る焦点検出装置は、上記発明において、前記蓄積制御部は、複数の前記光電変換素子列の蓄積動作を同時に開始させることを特徴とする。
【発明の効果】
【００１１】
本発明に係る焦点検出装置によれば、蓄積開始時点では電荷蓄積部のリセットを解除せずに、蓄積開始後・電荷移送前のタイミングで電荷蓄積部のリセットを解除するようにしたので、電荷蓄積部での暗電流の無用な増大を防止することができ、よって、低雑音化を図り、高精度な焦点検出を可能とすることができるという効果を奏する。特に、電荷蓄積部のリセットを解除するタイミングを、該電荷蓄積部に対する電荷移送直前のタイミングである蓄積終了時点とすることで、電荷蓄積部において蓄積開始から蓄積終了までの間に暗電流が増大してしまうことを確実に防止することができるという効果を奏する。
【００１２】
また、本発明に係る焦点検出装置によれば、撮影画面内における複数の測距点の焦点状態を検出可能な焦点検出装置において、蓄積開始時点では電荷蓄積部のリセットを解除せずに、複数の光電変換素子列のうちで最初の蓄積終了を検出したタイミングで電荷蓄積部のリセットを解除するようにしたので、電荷蓄積部に対する電荷移送直前のタイミングでリセットを解除させることができ、電荷蓄積部において蓄積開始から蓄積終了までの間に暗電流が増大してしまうことを確実に防止することができ、よって、低雑音化を図り、高精度な焦点検出を可能とすることができるという効果を奏する。特に、電荷リセット部を全ての光電変換素子列に対して共通化し、電荷リセット部が複数の光電変換素子列の全てに共通にリセット信号を出力するように構成することで、必要な信号線の数を最小限とし、配線を容易なものにすることができるという効果を奏する。また、全ての光電変換素子列の蓄積動作を同時に行わせることで、複数の光電変換素子列のうちで最初の蓄積終了を検出したタイミングに基づく全部の光電変換素子列に共通なリセット解除を適正に行うことができる。
【発明を実施するための最良の形態】
【００１３】
以下、添付図面を参照して、本発明に係る焦点検出装置の最良の実施の形態について説明する。本発明は、本実施の形態に限らず、本発明の趣旨を逸脱しない範囲であれば、種々の変形が可能である。
【００１４】
図１は、本実施の形態のマルチＡＦ方式の焦点検出装置が適用されるカメラシステムのＡＦ周りの構成例に概略機構を含めて示すブロック図である。ここでは、ＴＴＬ位相差ＡＦ方式を一眼レフレックスカメラに適用した場合の例を示している。本実施の形態のカメラシステムは、図１に示すように、交換レンズ１０１とカメラボディ１１０とを備える。
【００１５】
交換レンズ１０１は、カメラボディ１１０の前面に設けられた図示しないカメラマウントを介してカメラボディ１１０に着脱自在である。交換レンズ１０１は、内部に、撮影レンズ１０２とレンズ駆動部１０３とレンズＣＰＵ１０４とを備える。
【００１６】
撮影レンズ１０２は、撮像光学系に含まれる焦点調節用レンズであり、レンズ駆動部１０３内の図示しないモータによってその光軸方向（図１中に示す矢印方向）に駆動される。ここで、実際の撮像光学系は、複数枚のレンズの組合せで構成されているが、図１では撮影レンズ１０２のみを図示している。レンズ駆動部１０３は、モータとその駆動回路（モータドライバ）とにより構成されている。レンズＣＰＵ１０４は、レンズ駆動部１０３の制御などを司る制御回路であり、通信コネクタ１０５を介してカメラボディ１１０内のＡＦコントローラ１２１と通信可能に構成されている。このレンズＣＰＵ１０４からＡＦコントローラ１２１へは、例えばレンズＣＰＵ１０４に予め記憶された撮影レンズ１０２の製造ばらつき情報や収差情報などのレンズデータが通信される。
【００１７】
一方、カメラボディ１１０内においては、撮影レンズ１０２の光軸上に位置させてメインミラー１１１が設けられている。このメインミラー１１１は、中央部がハーフミラーで構成され、可動ミラーとして回動可能に設けられている。メインミラー１１１が図１に示すようなダウン位置にあるときには、交換レンズ１０１内の撮影レンズ１０２を介してカメラボディ１１０内に入射した図示しない被写体からの光束の一部がこのメインミラー１１１で反射されて、フォーカシングスクリーン１１２、ペンタプリズム１１３を介して接眼レンズ１１４に至る。これにより、図示しない被写体の状態を観察することができる。
【００１８】
また、メインミラー１１１に入射した光束の一部は、ハーフミラー部を透過し、メインミラー１１１の背面に配設されたサブミラー１１５で反射されて自動焦点検出（ＡＦ）を行うためのＡＦ光学系に導かれる。ＡＦ光学系は、コンデンサレンズ１１６と全反射ミラー１１７と２対の絞りを構成するセパレータ絞り１１８と２対の再結像レンズを構成するセパレータレンズ１１９とによって構成されている。
【００１９】
図２は、ＡＦ光学系の２次結像系を模式的に示す斜視図であり、図３は、撮影画面内の複数の測距点（焦点検出領域）の様子を示す説明図である。サブミラー１１５で反射された光束は、１次結像面上に結像される。１次結像面上に結像された被写体の光束は、コンデンサレンズ１１６によって集光され、全反射ミラー１１７で全反射された後、セパレータレンズ１１９によって分割及び集光されてＡＦ光学系の後方に配設されたＡＦセンサ１２０の所定領域に入射する。ここで、ＡＦセンサ１２０は、例えば図３に示すような撮影画面１３１内の複数の測距点Ｐ１〜Ｐ２３の焦点状態を検出可能なものを想定している（ＡＦセンサ１２０については後述する）。
【００２０】
以上は、ＴＴＬ位相差検出方式による焦点検出方法であって、２対のセパレータ絞り１１８と、１次結像面に関して光学的に共役である撮影レンズ１０２の２対の瞳領域を通過する光束を、ＡＦセンサ１２０で受光する。
【００２１】
ＡＦセンサ１２０においては、被写体からの光束が光電変換によってアナログ電気信号に変換される。ＡＦセンサ１２０の出力は、焦点検出部であるＡＦコントローラ１２１に入力されてデフォーカス量の演算が行われる。このＡＦコントローラ１２１の動作制御は、システムコントローラ１２２によって行われる。
【００２２】
また、ＡＦコントローラ１２１で得られたデフォーカス量は、レンズＣＰＵ１０４に通信される。レンズＣＰＵ１０４は、通信されたデフォーカス量に基づいて撮影レンズ１０２を駆動するためのモータ駆動量を演算する。演算されたモータ駆動量に基づいてレンズ駆動部１０３を介して撮影レンズ１０２が合焦駆動される。
【００２３】
また、図１において、メインミラー１１１が撮影レンズ１０２の光路上から退避するアップ位置にあるときには、撮影レンズ１０２を介して入射した被写体からの光束が撮像素子１２３に結像して光電変換される。撮像素子１２３で得られた信号がシステムコントローラ１２２に入力され、所定の画像処理が施される。
【００２４】
次に、ＡＦセンサ１２０について説明する。図４は、図３に示したような２３点の測距点Ｐ１〜Ｐ２３の焦点状態を検出するためのセンサ配置例を示す模式図である。本実施の形態のＡＦセンサ１２０は、撮影画面１３１の水平方向に沿って配置された水平方向基準部センサ群１２１ａ−１および水平方向参照部センサ群１２１ａ−２と、撮影画面１３１の垂直方向に沿って配置された垂直方向基準部センサ群１２１ｂ−１および垂直方向参照部センサ群１２１ｂ−２との４つのセンサ群によって構成されている。なお、水平方向基準部センサ群１２１ａ−１と水平方向参照部センサ群１２１ａ−２とが対をなし、垂直方向基準部センサ群１２１ｂ−１と垂直方向参照部センサ群１２１ｂ−２とが対をなしている。このような２対のセンサ群の配置構成により、図３に示したような２３点の測距点Ｐ１〜Ｐ２３の全ての焦点状態の検出が可能とされ、焦点検出精度の向上が図られている。
【００２５】
また、各一対のセンサ群における基準部の画素列からの出力は、図４に示すように参照部の画素列が配置された側とは反対側、すなわち参照部の画素列の存在しない側に向けて順次出力されるように出力部が構成されている。同様に、参照部の画素列からの出力は、基準部の画素列が配置された側とは反対側に向けて順次出力されるように出力部が構成されている。
【００２６】
ここで、水平方向基準部センサ群１２１ａ−１と水平方向参照部センサ群１２１ａ−２とは、図３に示す２３点の測距点Ｐ１〜Ｐ２３の水平方向の配列に対応させて、それぞれ５個の画素列からなるラインセンサと４個の画素列からなるラインセンサとが交互に配置された２３個の画素列から構成されている。また、垂直方向基準部センサ群１２１ｂ−１と垂直方向参照部センサ群１２１ｂ−２とは、図３に示す２３点の測距点Ｐ１〜Ｐ２３の垂直方向の配列に対応させて、それぞれ３個の画素列からなるラインセンサと２個の画素列からなるラインセンサとが交互に配置された２３個の画素列から構成されている。なお、測距点に対応する複数の画素列（電荷蓄積型の光電変換素子列）を、以下必要に応じて、「アイランド」と称する。したがって、２３点の測距点Ｐ１〜Ｐ２３を有する本実施の形態のＡＦセンサ１２０全体のアイランド数は、２３である。
【００２７】
図５は、図４に示すようなＡＦセンサ１２０における制御系の構成例を示す概略ブロック図である。水平方向基準部センサ群１２１ａ−１、水平方向参照部センサ群１２１ａ−２、垂直方向基準部センサ群１２１ｂ−１、および垂直方向参照部センサ群１２１ｂ−２に対しては、それぞれ、積分制御回路１５１、電荷リセット回路１５２、およびＴＧ１生成回路１５３が接続されている。
【００２８】
ここで、電荷リセット部として設けられた電荷リセット回路１５２は、各センサ群中に含まれる後述の電荷蓄積部に存在する電荷をリセットするためのリセット信号φＲＳを出力するものであるが、本実施の形態では、電荷リセット回路１５２は、水平方向基準部センサ群１２１ａ−１、水平方向参照部センサ群１２１ａ−２、垂直方向基準部センサ群１２１ｂ−１、および垂直方向参照部センサ群１２１ｂ−２に含まれる全ての画素列に対してリセット信号φＲＳが共通に出力されるように配線されている。また、後述するフォトダイオードから電荷蓄積部に電荷を移送するためのパルス信号ＴＧ１を生成し、転送スイッチとともに電荷移送部を構成するＴＧ１生成回路１５３の出力は、水平方向基準部センサ群１２１ａ−１、水平方向参照部センサ群１２１ａ−２、垂直方向基準部センサ群１２１ｂ−１、および垂直方向参照部センサ群１２１ｂ−２の各内部の画素列に対応して独立して出力される。また、蓄積制御部として設けられた積分制御回路１５１は、水平方向基準部センサ群１２１ａ−１、水平方向参照部センサ群１２１ａ−２、垂直方向基準部センサ群１２１ｂ−１、および垂直方向参照部センサ群１２１ｂ−２の各内部の画素列に対応した出力を取得する。
【００２９】
図６は、ＡＦセンサ１２０中の一部、例えば水平方向基準部センサ群１２１ａ−１および水平方向参照部センサ群１２１ａ−２中のそれぞれ５個の画素列からなるラインセンサ部分を抽出して、そのセンサ回路構成例を示す図である。なお、図６中に示すアイランドｎは、図４中のアイランドｎに対応している。ここで、本実施の形態では、焦点検出精度の向上のため、１つの画素列（アイランド）当り、２つのラインセンサ２０１，２０２が千鳥状に配置されて構成されている。すなわち、２つのラインセンサ２０１，２０２のうち、ラインセンサ２０２はラインセンサ２０１に対して１／２画素分ずらして配置されている。このように千鳥配置された２ライン分のラインセンサ２０１，２０２のそれぞれにおいて相関演算を行い、像ずれ量を算出し、２つの像ずれ量の平均値をとることにより、センサノイズ（主にショットノイズ）を１／（√２）倍に低減することができるとともに、１画素周期で現れる誤差量を削減することができる。
【００３０】
また、ラインセンサ２０２には、モニタ用のフォトダイオード２０４が配置されている。また、ラインセンサ２０１中の各画素列（アイランド）は、図６に示すように、それぞれが画素を構成する複数のフォトダイオード２０１−１と、電荷蓄積部２０１−２と、転送スイッチ２０１−３と、電荷転送路２０５とからなる。ラインセンサ２０２中の各画素列（アイランド）も同様である。
【００３１】
ここで、モニタ用のフォトダイオード２０４は、各画素列（アイランド）のフォトダイオード２０１−１の蓄積時間を制御するためのモニタ動作を行うものであり、同一アイランド内の画素については同一の蓄積時間となるように制御するため、アイランド単位で設けられている。モニタ用のフォトダイオード２０４の出力が入力される積分制御回路１５１は、モニタ用のフォトダイオード２０４の出力が予め設定された所定の閾値以上になったか否かを判定し、所定の閾値以上になった場合には電荷蓄積動作（積分動作）を終了させる信号を出力する。本実施の形態の積分制御回路１５１は、画素列（アイランド）毎のモニタ用のフォトダイオード２０４の出力に基づきそれぞれのフォトダイオード２０１−１の蓄積終了を判定することで、全ての画素列のうちで最初に蓄積終了した画素列およびその蓄積終了タイミングを認識し得る機能を有する。なお、積分制御回路１５１は、モニタ用のフォトダイオード２０４の出力が所定の閾値に達しない場合であっても、所定の積分時間が経過した場合にも電荷蓄積動作（積分動作）を終了させる信号を出力する。また、電荷蓄積動作を終了させるための閾値や積分時間は変更可能である。
【００３２】
また、画素単位で設けられたこれらフォトダイオード２０１−１は、該フォトダイオード２０１−１に入射した被写体の光束の光量に応じた光電荷が得られるもので、撮像レンズ１０２の異なる瞳領域を通過した光束を受光して受光量に応じた電荷を発生する受光部を構成する。また、電荷蓄積部２０１−２は、それぞれのフォトダイオード２０１−１で得られた光電荷を一時的に蓄積する。ここで、電荷蓄積部２０１−２の不要電荷のリセットは、電荷蓄積部２０１−２に対する電荷リセット回路１５２からのリセット信号φＲＳをＨレベルにすることにより実行される。
【００３３】
そして、モニタ用のフォトダイオード２０４の出力に基づき各アイランドのフォトダイオード２０１−１の蓄積終了タイミングでＴＧ１生成回路１５３が発生するパルス信号ＴＧ１が入力された場合に、同一アイランド内の各フォトダイオード２０１−１に蓄積されている電荷を対応するアイランド用の電荷蓄積部２０１−２に移送させる。電荷蓄積部２０１−２の出力側には、転送スイッチ２０１−３を介して電荷転送路２０５が接続され、電荷蓄積部２０１−２に蓄積された電荷を、不図示の所定のタイミングで一気に出力させ、電荷転送路２０５に移送させる。
【００３４】
電荷転送路２０５の出力側には、所定のシフトクロックが印加される毎に、光電荷が１画素ずつ転送される電荷・電圧変換アンプ２０６が設けられている。電荷・電圧変換アンプ２０６の出力側には、増幅回路２０７、出力選択回路２０８が順に設けられている。電荷・電圧変換アンプ２０６で変換された電圧信号は、増幅回路２０７において所定の増幅率（例えば、１倍、２倍、４倍、８倍の何れかが選択される）で増幅された後、出力選択回路２０８に入力される。出力選択回路２０８においては、画素単位で入力された電圧信号を、例えば図示しない温度センサで検出された温度に基づいて温度補償した後、出力電圧ＶＮとして端子ＶＮより後段のＡＦコントローラ１２１に出力する。
【００３５】
ここで、本実施の形態の焦点検出装置の動作制御例を、従来の動作制御例と対比して説明する。図７は、本実施の形態の動作制御例を示す概略タイムチャートであり、図８は、従来の動作制御例を示す概略タイムチャートである。なお、図７および図８中、“ＴＧ１（Island α）”は、最初に蓄積終了したアイランドを示し、“ＴＧ１（Island β）”は、その他のアイランドを示している。
【００３６】
まず、蓄積動作の開始においては、蓄積動作を全アイランド同時に開始させるものであり、全アイランドに対してＴＧ１生成回路１５３からパルス信号ＴＧ１を一斉に出力する。このパルス信号ＴＧ１は、フォトダイオード２０１−１から電荷蓄積部２０１−２に電荷を移送させるための信号である。ここで、従来は、図８に示すように、このような蓄積動作開始のタイミングで、リセット信号φＲＳを解除（Ｌレベルに切換え）し、電荷蓄積部２０１−２の電荷リセットを解除するようにしている。これにより、蓄積動作開始後のフォトダイオード２０１−１への電荷蓄積中も電荷蓄積部２０１−２の暗電流が増え続けることとなっている。
【００３７】
これに対して、本実施の形態では、図７に示すように、蓄積開始時点では、電荷リセット部１５２は、リセット信号φＲＳを解除せず、電荷蓄積部２０１−２に対する電荷移送直前ｔｈのタイミングである蓄積終了タイミングでリセット信号φＲＳを解除し、電荷蓄積部２０１−２の電荷リセットを解除する。特に、本実施の形態では、積分制御回路１５１による監視制御の下、全アイランド中で最初に蓄積終了したアイランドαが検出された場合、他のアイランドβの蓄積終了の如何に関係なく、アイランドαの蓄積終了タイミングで、電荷リセット部１５２は全アイランド用の電荷蓄積部２０１−２に対するリセット信号φＲＳを解除する。すなわち、電荷蓄積部２０１−２は、蓄積開始時から最初の蓄積終了時までの間も、リセット状態（Ｈレベル）にあり、電荷蓄積部２０１−２内の不要な電荷を掃き出す状態にある。
【００３８】
蓄積終了タイミングに基づく電荷蓄積部２０１−２の電荷リセットの解除後、ＴＧ１生成回路１５３は、アイランド毎に電荷移送用のパルス信号ＴＧ１を順次出力し、フォトダイオード２０１−１から電荷蓄積部２０１−２に電荷を移送させる。電荷移送後、転送スイッチ２０１−３が閉じられ、電荷蓄積部２０１−２に蓄積された光電荷が電荷転送路２０５に転送され、前述した以後の処理が実行される。
【００３９】
このように、本実施の形態によれば、電荷リセット回路１５２による電荷蓄積部２０１−２のリセット解除のタイミングを、蓄積開始時点ではなく、電荷移送直前である蓄積終了時点としているので、図７中に示す時間ｔａの間は、電荷蓄積部２０１−２はリセット状態を継続しているため暗電流が増え続けることがなく、電荷蓄積部２０１−２での暗電流の発生に抑え、低雑音化を図ることができる。特に、最初に蓄積終了したアイランドαの電荷蓄積部２０１−２に関しては、暗電流の発生を最小限に抑えることができ、他のアイランドβの電荷蓄積部２０１−２に関しても、上記蓄積終了時点から自己の電荷蓄積部２０１−２への電荷移送開始までの間の暗電流発生だけに抑えることができる。
【００４０】
ここで、個々のアイランド毎に蓄積終了時点を判断し、電荷蓄積部２０１−２に対して個別にリセット信号φＲＳの信号線を設けておき、それぞれの蓄積終了時点で個別にリセット信号φＲＳを解除するようにすれば、全てのアイランドの電荷蓄積部２０１−２の暗電流を最小限に抑えることができる。もっとも、この場合、アイランドの数だけ、リセット信号線の配線が必要となり、配線が複雑となるので、本実施の形態のように、電荷リセット回路１５２が全てのアイランドの電荷蓄積部２０１−２に対して１本の共通のリセット信号線を通じてリセット信号φＲＳを出力させることにより、リセット信号線の数を最小限とすることが望ましい。
【図面の簡単な説明】
【００４１】
【図１】本発明の実施の形態のマルチＡＦ方式の焦点検出装置が適用されるカメラシステムのＡＦ周りの構成例に概略機構を含めて示すブロック図である。
【図２】ＡＦ光学系の２次結像系を模式的に示す斜視図である。
【図３】撮影画面内の複数の測距点の様子を示す説明図である。
【図４】図３に示した測距点の焦点状態を検出するためのセンサ配置例を示す模式図である。
【図５】図４に示すＡＦセンサにおける制御系の構成例を示す概略ブロック図である。
【図６】ＡＦセンサの水平方向基準部センサ群および水平方向参照部センサ群中のそれぞれ５個の画素列からなるラインセンサ部分を抽出して、そのセンサ回路構成例を示す図である。
【図７】本実施の形態の動作制御例を示す概略タイムチャートである。
【図８】従来の動作制御例を示す概略タイムチャートである。
【符号の説明】
【００４２】
１０２  撮影レンズ
１２１  ＡＦコントローラ
１３１  撮影画面
１５１  積分制御回路
１５２  電荷リセット回路
１５３  ＴＧ１生成回路
２０１−１  フォトダイオード
２０１−２  電荷蓄積部
２０１−３  転送スイッチ
【図１】
2008092350.tif 000003
【図２】
2008092350.tif 000004
【図３】
2008092350.tif 000005
【図４】
2008092350.tif 000006
【図５】
2008092350.tif 000007
【図６】
2008092350.tif 000008
【図７】
2008092350.tif 000009
【図８】
2008092350.tif 000010